(57)【要約】【課題】ブレーズ型回折格子に関する新たな技術を提供する。【解決手段】リン化インジウムの単結晶材料で構成されたことを特徴とするブレーズ型回折格子を提供する。【選択図】図１
2017156589.tif 000002
【特許請求の範囲】
【請求項１】
リン化インジウムの単結晶材料で構成されたことを特徴とするブレーズ型回折格子。
【請求項２】
前記ブレーズ型回折格子は、入射光を回折するための複数の格子溝を含み、
前記格子溝を構成する２つの面のうちの少なくとも一方の面は、前記単結晶材料の結晶方位の（１  ０  ０）面であることを特徴とする請求項１に記載のブレーズ型回折格子。
【請求項３】
前記格子溝を構成する２つの面は、前記単結晶材料の結晶方位の（１  ０  ０）面で構成されていることを特徴とする請求項２に記載のブレーズ型回折格子。
【請求項４】
前記２つの面のうちの一方の面は、ブレーズ面であり、
前記ブレーズ面は、前記単結晶材料の結晶方位の（１  ０  ０）面であることを特徴とする請求項２に記載のブレーズ型回折格子。
【請求項５】
前記格子溝は、三角形の断面形状を有し、
前記ブレーズ面は、前記三角形の断面形状の短辺を含む面であることを特徴とする請求項４に記載のブレーズ型回折格子。
【請求項６】
前記三角形の断面形状の長辺を含む面は、前記単結晶材料の結晶方位の（１  ０  ０）面であることを特徴とする請求項５に記載のブレーズ型回折格子。
【請求項７】
前記２つの面のなす角は、９０度であることを特徴とする請求項２乃至６のうちいずれか１項に記載のブレーズ型回折格子。
【請求項８】
前記ブレーズ型回折格子は、イマージョン型回折格子を含むことを特徴とする請求項１乃至７のうちいずれか１項に記載のブレーズ型回折格子。
【請求項９】
ブレーズ型回折格子を製造する製造方法であって、
リン化インジウムの単結晶材料の被加工面に対して、前記単結晶材料の結晶方位の（１  ０  ０）面に垂直な方向に沿って前記被加工面を削り取る切削加工によって、入射光を回折するための複数の格子溝を形成する工程を有し、
前記格子溝を形成する２つの面のうちの少なくとも一方の面は、前記単結晶材料の結晶方位の（１  ０  ０）面であることを特徴とする製造方法。
【請求項１０】
前記切削加工では、ダイヤモンドバイトを用いることを特徴とする請求項９に記載の製造方法。
【請求項１１】
入射光を分光する分光装置であって、
請求項１乃至８のうちいずれか１項に記載のブレーズ型回折格子を有することを特徴とする分光装置。
【請求項１２】
入射光を伝送する伝送装置であって、
請求項１乃至８のうちいずれか１項に記載のブレーズ型回折格子を有することを特徴とする伝送装置。
【発明の詳細な説明】
【技術分野】
【０００１】
本発明は、ブレーズ型回折格子、製造方法、分光装置及び伝送装置に関する。
【背景技術】
【０００２】
位相型回折格子は、格子溝の形状をブレーズ型（鋸歯型）、正弦波型、矩形波型などにすることによって、格子の１周期内で入射光に位相差を与え、回折光の強度特性を用途に応じて選択可能にした回折格子である。ブレーズ型回折格子は、格子溝が三角形の断面形状を有する位相型回折格子である。ブレーズ型回折格子は、砥石を用いた研削加工やダイヤモンドバイトを用いた切削加工（シェービング加工）によって、三角形の断面形状を有する格子溝を順次形成して製造されている。
【０００３】
ブレーズ型回折格子には、高次の回折光を使用するように設計され、結晶材料からなる回折格子が存在する。この種の回折格子では、良好な光学特性を得るために、格子溝を形成するための機械加工を、脆性モードではなく、延性モードで行う必要がある。ここで、延性モードと脆性モードとの境界には、臨界切り取り厚さが存在する。臨界切り取り厚さは、結晶の滑り面の結晶方位と被加工面との関係、結晶軸と切削方向との関係、結晶軸と切削力方向（工具のすくい角及び切削方向に依存する）との関係に依存することが知られている（特許文献１参照）。特許文献１には、シリコン（Ｓｉ）やゲルマニウム（Ｇｅ）の結晶材料において、被加工面を（１  １  １）面、切削方向を（１  １  １）面内とし、ダイヤモンドバイトを用いた超精密切削加工によって、格子溝を形成することが開示されている。なお、被加工面とは、格子溝を形成すべき面である。
【先行技術文献】
【特許文献】
【０００４】
【特許文献１】特開２００３−７５６２２号公報
【発明の概要】
【発明が解決しようとする課題】
【０００５】
しかしながら、結晶材料の被加工面の結晶方位（結晶の面方位）や臨界切り取り厚さのパラメータは、安定した延性モードを得るための１つの要件である。ブレーズ型回折格子は、透過型又はイマージョン型（裏面反射型）として使用される場合、格子溝を構成する長辺及び短辺の少なくとも一方の影響を受ける。但し、ブレーズ型回折格子は、一般的に、入射光が格子溝を構成する短辺に対して垂直に入射するように用いられるため、反射型回折格子と同様に、格子溝を構成する短辺の表面粗さ（面精度）が重要となる。
【０００６】
リン化インジウム（ＩｎＰ）の結晶材料は、光学材料として用いられているが、かかる結晶材料からブレーズ型回折格子を製造する（即ち、ＩｎＰの結晶材料の被加工面に格子溝を形成する）ための機械加工に関する技術については、これまで提案されていない。
【０００７】
本発明は、このような従来技術の課題に鑑みてなされ、ブレーズ型回折格子に関する新たな技術を提供することを例示的目的とする。
【課題を解決するための手段】
【０００８】
上記目的を達成するために、本発明の一側面としてのブレーズ型回折格子は、リン化インジウムの単結晶材料で構成されたことを特徴とする。
【０００９】
本発明の更なる目的又はその他の側面は、以下、添付図面を参照して説明される好ましい実施形態によって明らかにされるであろう。
【発明の効果】
【００１０】
本発明によれば、例えば、ブレーズ型回折格子に関する新たな技術を提供することができる。
【図面の簡単な説明】
【００１１】
【図１】本発明の一側面としてのブレーズ型回折格子の構成を示す概略断面図である。
【図２】図１に示すブレーズ型回折格子を製造するための加工装置の構成を示す概略斜視図である。
【図３】図２に示す加工装置において、被加工物及びダイヤモンドバイトを示す概略断面図である。
【図４】本発明の一側面としてのブレーズ型回折格子を製造する製造方法を説明するためのフローチャートである。
【図５】図４に示す製造方法の各工程における被加工物を示す概略断面図である。
【発明を実施するための形態】
【００１２】
以下、添付図面を参照して、本発明の好適な実施の形態について説明する。なお、各図において、同一の部材については同一の参照番号を付し、重複する説明は省略する。
【００１３】
図１は、本発明の一側面としてのブレーズ型回折格子（エシェル型回折格子）１の構成を示す概略断面図である。ブレーズ型回折格子１は、リン化インジウム（ＩｎＰ）の単結晶材料で構成されている。ブレーズ型回折格子１は、入射光を回折するための複数の格子溝１１がブレーズ型（鋸歯型）である回折格子であって、特定の次数及び波長に対して高い回折効率を有する。ブレーズ型回折格子１において、複数の格子溝１１のそれぞれは、入射光が最も多く入射するブレーズ面と、かかるブレーズ面に隣接するカウンタ面とを含む。本実施形態では、ブレーズ型回折格子１は、図１に示すように、イマージョン型回折格子（裏面反射型回折格子）である。但し、ブレーズ型回折格子１は、表面で反射する反射型回折格子として構成されてもよい。
【００１４】
格子溝１１は、２つの面によって形成され、三角形の断面形状を有する。具体的には、格子溝１１は、ブレーズ方向ＢＤ及びブレーズ方向ＢＤに垂直な格子法線（Ｇｒａｔｉｎｇ  Ｎｏｒｍａｌ）ＧＮを含む断面において、短辺１２（を含む面１３）と長辺１４（を含む面１５）とで構成される非対称の三角形の形状を有している。短辺１２及び長辺１４のそれぞれは、図１の紙面に垂直な方向に延びている。
【００１５】
頂角θは、短辺１２と長辺１４とのなす角（即ち、短辺１２を含む面１３及び長辺１４を含む面１５の２つの面のなす角）であって、本実施形態では、９０度である。頂角θは、後述するダイヤモンドバイト２２の開き角とほぼ等しい。ブレーズ型回折格子１において、格子溝１１を構成する２つの面１３及び１５のうちの一方の面は、ブレーズ面である。本実施形態では、短辺１２を含む面１３がブレーズ面として機能し、長辺１４を含む面１５がカウンタ面として機能する。ブレーズ型回折格子１では、上述したように、ブレーズ面（短辺１２を含む面１３）とカウンタ面（長辺１４を含む面１５）とは、互いに直交している（頂角θ＝９０度）。但し、ブレーズ型回折格子１を反射型回折格子として構成する場合には、長辺１４を含む面１５がブレーズ面として機能し、短辺１２を含む面１３がカウンタ面として機能することもある。また、ブレーズ方向ＢＤ及びブレーズ方向ＢＤに垂直な格子法線ＧＮを含む断面において、格子溝１１が三角形の形状を有するのは一例であって、他の形状（多角形形状）を有していてもよい。
【００１６】
後述するように、ブレーズ型回折格子１は、格子溝１１を構成する２つの面１３及び１５のうちの少なくとも一方の面がＩｎＰの単結晶材料の結晶方位の（１  ０  ０）面となるように製造される。本実施形態では、２つの面１３及び１５がＩｎＰの単結晶材料の結晶方位の（１  ０  ０）面になるように、格子溝１１を形成する。
【００１７】
ブレーズ型回折格子１は、一般的に、図１に示すように、入射光Ｌを多く回折（分割）するために、短辺１２を含む面１３に対して入射光Ｌが正対するように配置される。従って、ブレーズ型回折格子１の回折効率は、短辺１２を含む面１３の表面粗さ（面精度）に依存するため、短辺１２を含む面１３を高精度に加工することが求められる。
【００１８】
図２は、ブレーズ型回折格子１を製造するための加工装置２０の構成を示す概略斜視図である。図２では、互いに直交する３軸方向に、Ｘ軸、Ｙ軸及びＺ軸を定義している。加工装置２０は、ＩｎＰの単結晶材料からなる被加工物（ワーク）Ｗに複数の格子溝１１を形成してブレーズ型回折格子１を製造する製造装置である。
【００１９】
ＩｎＰの結晶材料は、１μｍから６μｍ程度の波長を有する赤外光を実用的な透過率で透過し、赤外光の分光用の光学素子として好適である。大型の結晶材料として比較的入手が容易なＣＶＤ（Ｃｈｅｍｉｃａｌ  Ｖａｐｏｒ  Ｄｅｐｏｓｉｔｉｏｎ）方式で得られる結晶材料は、一般的に、多結晶材料である。但し、多結晶材料は、結晶方位が完全に均一ではなく、結晶軸に依存する加工特性を安定して得ることが難しいため、良好な光学面を得ることが難しい。そこで、本実施形態では、ＩｎＰの結晶材料として、単結晶材料を用いる。実際には、不純物などによって完全な単結晶材料を得ることは難しいが、ここでは、「結晶方位」は、「結晶支配性」を意味するものとし、結晶方位の全てについて完全に方位が揃った状態に限定するものではない。
【００２０】
加工装置２０は、数十ｎｍオーダーで切り込みの数値制御（ＮＣ（Ｎｕｍｅｒｉｃａｌ  Ｃｏｎｔｒｏｌ））が可能な超精密切削加工機である。加工装置２０は、先端（切削刃）が鋭利であって、高精度な加工転写性が得られるダイヤモンドバイト２２を工具として用いる。加工装置２０は、ダイヤモンドバイト２２（切削刃）を移動させて被加工物Ｗの被加工面（表面）を切削するシェーパー（鉋削り）方式によって、被加工物Ｗの被加工面に複数の格子溝１１を形成する。このように、加工装置２０は、ダイヤモンドバイト２２を用いた切削加工によって、三角形の断面形状を有する格子溝１１を順次形成することでブレーズ型回折格子１を製造する。ここで、切削加工とは、大きな外力をかけずに被加工面を切り削る加工方法であって、大きな外力によって被加工面を変形させて加工する塑性加工や高速回転する砥石によって被加工面を除去する研削加工とは異なる。
【００２１】
加工装置２０は、筐体２１と、ダイヤモンドバイト２２と、Ｘステージ２３と、Ｙステージ２４と、Ｚステージ２５とを有する。筐体２１は、外部振動に対して強く、高剛性を有する。筐体２１は、Ｘ軸方向に移動可能なＸステージ２３及びＹ軸方向に移動可能なＹステージ２４で構成されるＸＹステージＳＴを収容する。ＸＹステージＳＴは、例えば、後述する冶具２６を介して、被加工物Ｗ、即ち、ＩｎＰの単結晶材料を保持する。ダイヤモンドバイト２２は、Ｚ軸方向に移動可能なＺステージ２５に保持されている。Ｚステージ２５は、本実施形態では、ダイヤモンドバイト２２を回転させる機能を有していないが、ダイヤモンドバイト２２を回転させる機能を有していてもよい。
【００２２】
図３は、冶具２６を介してＸＹステージＳＴに保持された被加工物Ｗと、ダイヤモンドバイト２２とを示す概略断面図である。図３において、Ｍは、ダイヤモンドバイト２２を被加工面Ｗに対して相対的に移動させるバイト送り方向Ｔと平行なブレーズ方向ＢＤに平行なバイト送り平面を示している。
【００２３】
ダイヤモンドバイト２２は、図３に示すように、三角形の断面形状を有する格子溝１１を形成（転写）するための少なくとも２つの稜線切れ刃２２ａ及び２２ｂを含む。稜線切れ刃２２ａ及び２２ｂ（ダイヤモンドバイト２２の先端部）がなす角、即ち、ダイヤモンドバイト２２の開き角θ１は、格子溝１１の頂角θとほぼ等しく、本実施形態では、９０度である。稜線切れ刃２２ａ及び２２ｂは、その丸みを極力少なくし、稜線の直線精度が非常に高くなるように構成されている。これにより、ブレーズ型回折格子１を製造する際に、格子溝１１の壁面精度を高精度に維持することができる。
【００２４】
本実施形態では、ダイヤモンドバイト２２と被加工物Ｗの被加工面とが対向する位置において、Ｚ軸方向への切り込み量が、例えば、０．２μｍとなるように、ダイヤモンドバイト２２を被加工物側に下降させる。そして、かかる状態でＸ軸方向又はＹ軸方向に直線的又は曲線的にＸＹステージＳＴを移動させる。ダイヤモンドバイト２２と被加工物Ｗとの相対移動によって切削速度が得られ、稜線切れ刃２２ａ及び２２ｂで被加工物Ｗの被加工面を切削加工する。
【００２５】
加工装置２０による機械加工において、移動対象は、ダイヤモンドバイト２２でもよいし、被加工物Ｗ、即ち、被加工物Ｗを保持するＸＹステージＳＴでもよい。また、ダイヤモンドバイト２２への過負荷を回避するために、Ｚ軸方向への必要な切り込み量を分割し、分割した切り込み量だけを形成する工程を複数回繰り返してもよい。被加工物Ｗの被加工面に格子溝１１を形成するための加工においては、ダイヤモンドバイト２２のバイトすくい面の裏側から噴射させて加工熱を除去するとともに、切り屑を潤滑に流すとよい。
【００２６】
以下、図４及び図５を参照して、加工装置２０を用いてブレーズ型回折格子１を製造する製造方法について説明する。図４は、ブレーズ型回折格子１を製造する製造方法を説明するためのフローチャートである。図５（ａ）乃至図５（ｄ）は、図４に示す製造方法の各工程における被加工物Ｗを示す概略断面図である。
【００２７】
Ｓ１１０では、ＩｎＰの単結晶材料からなる被加工物Ｗを取得する。例えば、結晶成長装置などで製造されたＩｎＰの単結晶材料からなる被加工物Ｗを、円筒形状、立方体形状、或いは、直方体形状などの適当な形状で取得する。本実施形態では、図５（ａ）に示すように、上面（上側端面）及び左側端面の両方がＩｎＰの単結晶材料の結晶方位の（１  ０  ０）面、側面がＩｎＰの単結晶材料の結晶方位の（１  ０  ０）面と等価となる直方体形状の被加工物Ｗを取得する。
【００２８】
Ｓ１２０では、Ｓ１１０で取得した被加工物Ｗを切削する。本実施形態では、被加工物Ｗを、図５（ｂ）に示すように、点線Ｄに沿って切削する。被加工物Ｗの上面に対する点線Ｄの傾斜角度は、例示的に、２０度とする。Ｓ１２０における被加工物Ｗに対する切削加工では、加工装置２０ではなく、加工装置２０よりも精度の低い加工装置を用いてもよい。
【００２９】
Ｓ１３０では、Ｓ１２０で切削した被加工物Ｗを研磨する。本実施形態では、図５（ｃ）に示すように、被加工物Ｗの切削面Ｃを研磨装置Ｐによって研磨する。加工装置２０で用いる冶具２６を介して、被加工物Ｗを研磨装置Ｐに設置してもよい。なお、切削面Ｃは、被加工物Ｗを点線Ｄに沿って切削することで形成された面である。
【００３０】
Ｓ１４０では、Ｓ１３０で研磨した被加工物ＷをＸＹステージＳＴに載置する。本実施形態では、図５（ｄ）に示すように、被加工物Ｗを、その被加工面Ｃ’がダイヤモンドバイト２２と対向するように、冶具２６を介してＸＹステージＳＴに載置する。冶具２６は、被加工物Ｗを載置する載置面がＸＹステージＳＴ（詳細には、Ｙステージ２４の表面）に対して２０度傾斜している。従って、被加工物Ｗを冶具２６を介してＸＹステージＳＴに載置することで、被加工面Ｃ’がＹステージ２４の表面と平行になる。なお、被加工面Ｃ’は、被加工物Ｗの切削面Ｃを研磨することで得られた面である。
【００３１】
このように、加工装置２０におけるバイト送り平面Ｍに対して、２０度傾斜するように被加工物Ｗを冶具２６を介してＸＹステージＳＴに載置する。そして、ダイヤモンドバイト２２が格子溝１１を形成する被加工面Ｃ’、即ち、バイト送り平面Ｍの単結晶材料の結晶方位が（ｔａｎθＡ  １  ０）になるように、被加工物Ｗを配置する。ここで、θＡは、冶具２６の傾斜角であって、上述したように、２０度である。本実施形態では、工具であるダイヤモンドバイト２２を格子溝面の分散直交方向（溝方向）に並進させて、三角形の断面形状を有する格子溝１１を形成（転写）するシェーパー方式を採用している。
【００３２】
Ｓ１５０では、Ｓ１４０でＸＹステージＳＴに載置された被加工物Ｗの被加工面Ｃ’に複数の格子溝１１を形成する。本実施形態では、ブレーズ型回折格子１を製造する際に、格子溝１１を構成する短辺１２を含む面１３が（１  ０  ０）面となるようにＩｎＰの単結晶材料の結晶方位を設定（選択）し、臨界切り取り厚さ以下で切削加工を行う。換言すれば、ＩｎＰの単結晶材料の結晶方位の（１  ０  ０）面と等価な面に垂直な方向に沿って被加工面を削り取る切削加工を行う。これにより、短辺１２を含む面１３が（１  ０  ０）面以外の面である場合と比較して、脆性破壊を最小限に留めた非常に良好な切削加工を行うことができる。従って、短辺１２を含む面１３の面精度が高く、高品位なブレーズ型回折格子１を得ることができる。また、本実施形態では、頂角θを９０度としているため、格子溝１１を構成する短辺１２を含む面１３及び長辺１４を含む面１５の両方を、ＩｎＰの単結晶材料の結晶方位の（１  ０  ０）面で構成することができる。格子溝１１を構成する２つの面１３及び１５の表面粗さを小さく抑えることで、回折効率の向上や迷光の減少などの点で有利なブレーズ型回折格子１を得ることができる。
【００３３】
本実施形態では、図１や図３に示すように、格子溝１１を構成する短辺１２を含む面１３及び長辺１４を含む面１５がＩｎＰの単結晶材料の結晶方位の（１  ０  ０）面になるように、ブレーズ型回折格子１を製造している。また、Ｚ軸方向への仕上げ時の切り込み量を０．１μｍ以下にすることによって、表面粗さ１０ｎｍ以下の良好な光学面を得ることができる。
【００３４】
一方、本実施形態の比較例として、ＩｎＰの単結晶材料の結晶方位を適切に設定（選択）せずに、例えば、短辺１２を含む面１３をＩｎＰの単結晶材料の結晶方位の（１  １  １）面とする場合を考える。この場合、Ｚ軸方向への仕上げ時の切り込み量を０．２μｍ以下としても、表面粗さが１０ｎｍを超え、面精度が著しく低下してしまう。
【００３５】
また、ブレーズ型回折格子１を反射型回折格子として用いる場合、入射光Ｌは、ブレーズ方向ＢＤに垂直な格子方向ＧＮから所定角度傾いた方向からブレーズ型回折格子１に入射することになる。そのため、格子溝１１を構成する短辺１２を含む面１３及び長辺１４を含む面１５の影響を受ける。このような場合には、短辺１２を含む面１３及び長辺１４を含む面１５の少なくとも一方がＩｎＰの単結晶材料の結晶方位の（１  ０  ０）面となるようにすればよい。上述したように、頂角θが９０度であれば、短辺１２を含む面１３及び長辺１４を含む面１５の両方を、ＩｎＰの単結晶材料の結晶方位の（１  ０  ０）面にすることができる。また、本実施形態では、ダイヤモンドバイト２２を用いて切削加工を行う例について説明した。但し、他の工具を用いた切削加工であっても、ＩｎＰの単結晶材料の結晶方位の（１  ０  ０）面を被加工面としているため、その他の結晶方位の面を加工するよりも表面粗さを小さく抑えることができる。
【００３６】
本実施形態のブレーズ型回折格子１は、光源装置、分光装置、伝送装置などの光学装置に適用することで、優れた光学特性を有する光学装置を実現することができる。光源装置は、例えば、光（例えば、レーザー光）を射出する光源と、光源からの光を回折させるブレーズ型回折格子１とを有し、ブレーズ型回折格子１で回折された光を供給する機能を実現する。分光装置は、ブレーズ型回折格子１と、ブレーズ型回折格子１で回折された光を受光する受光素子とを有し、入射光を分光する機能を実現する。また、伝送装置は、ブレーズ型回折格子１を有し、入射光を伝送する機能を実現する。
【００３７】
長距離の高速通信においては、光ファイバーが広く用いられている。光ファイバーは、一般的に、石英（ＳｉＯ２）で構成されているため、光の伝送時の屈折率による信号変化が最小となる波長として、約１．５μｍの波長が用いられる。ＩｎＰの単結晶材料で構成されたブレーズ型回折格子１は、１．５μｍの波長帯において、シリコン（Ｓｉ）と同じレベルの大きな屈折率を有している。
【００３８】
一方、Ｓｉに対しては、機械加工による回折格子の製造が困難であり、化学的な加工法であるエッチングが用いられている。しかしながら、エッチングでは、特定の角度（Ｓｉでは、約７１度）の断面形状を有する回折溝しか形成することができないため、光学的に理想的な効率及び特性を得ることが難しい。
【００３９】
従って、ＩｎＰの単結晶材料で構成されたブレーズ型回折格子１は、光学的に理想的で高い効率、及び、単位サイズ当たりの高い分散能力を有する回折格子であるため、多くの波長を効率的に分離することが可能であり、伝送装置などで有用なデバイスとなる。
【００４０】
ＩｎＰの結晶材料は、高い屈折率（約３．４）を有する半導体材料であり、大きなバンドギャップ（１．２９）を有している。ＩｎＰの結晶材料は、より大きなバンドギャップ（３．６）を有する硫化亜鉛（ＺｎＳ）のように、可視光を透過させることはできない。但し、ＩｎＰの結晶材料は、近赤外分光や通信分野で非常に重要な１．５μｍ付近の波長の光を透過させる材料としては、ＺｎＳの屈折率（２．２）と比較して、イマージョンモードでの分光性能が約１．５倍優れている。ここで、分光性能とは、分散（同じ波長差では大きな角度で分離する）能力である。ＩｎＰの結晶材料で構成されたイマージョン型回折格子は、通常の回折格子の３．４倍の分光性能を有するため、同じ波長を分離するためには１／３．４倍の小型化、或いは、同じサイズでは３．４倍の分光性能を実現することができる。例えば、通信波長帯１．５μｍにおいて、５万色を分離するために必要となるＩｎＰの結晶材料で構成された回折格子のサイズは、理論上で約２３ｍｍ（ブレーズ角を７５度とする場合）であり、実用上でも５０ｍｍ程度で十分である。一方、一般的な回折格子では、理論上で約７８ｍｍ（ブレーズ角を７５度とする場合）、実用上で約１７０ｍｍのサイズが必要となる。また、本実施形態で実現される格子溝の幾何学形状によって、透過率や屈折率で近い特性を有するＳｉよりも効率を相対的に高くすることができる。
【００４１】
以上、本発明の好ましい実施形態について説明したが、本発明はこれらの実施形態に限定されないことはいうまでもなく、その要旨の範囲内で種々の変形及び変更が可能である。
【符号の説明】
【００４２】
１：ブレーズ型回折格子    １１：格子溝    １２：短辺    １３：面    １４：長辺    １５：面
【図１】
2017156589.tif 000003
【図２】
2017156589.tif 000004
【図３】
2017156589.tif 000005
【図４】
2017156589.tif 000006
【図５】
2017156589.tif 000007